(57)【特許請求の範囲】
【請求項１】
連結部材で屋根材と母屋材を連結して、母屋材に屋根材を支持させた屋根支持構造であって、
母屋材の長さ方向には、連結部材がスライド可能で、且つ、端部からのみ連結部材の出し入れが可能な溝部が形成されており、
連結部材は、一端に母屋材の溝部に挿入される固定部と、他端に屋根材を保持する保持部を有し、
連結部材の固定部を母屋材の溝部に挿入して母屋材に固定すると共に、保持部で屋根材を保持することで屋根材と母屋材を連結し、母屋材に屋根材を支持させたことを特徴とする屋根支持構造。
【請求項２】
母屋材の上面又は下面から側面にかけて、それらの表面を覆う変形防止部材によって母屋材を補強したことを特徴とする請求項１に記載の屋根支持構造。
【請求項３】
連結部材がボルトとナットからなり、そのボルトの軸部がスライド可能で、且つ、頭部が抜けない形状の溝部が、母屋材の屋根材と相対する面に形成されており、ボルトの頭部を母屋材の溝部に挿入して、ナットで母屋材に固定すると共に、ボルトの軸部の先端を屋根材に挿通して、上下から２つのナットで屋根材を挟持することによって屋根材を保持したことを特徴とする請求項１又は請求項２に記載の屋根支持構造。
【請求項４】
屋根材が略Ｓ字形状又は／及び略コ字形状であって、その屋根材を複数組み合わせることで屋根が構成されていることを特徴とする請求項１ないし請求項３のいずれかに記載の屋根支持構造。
【発明の詳細な説明】
【技術分野】
【０００１】
本発明は、母屋材に屋根材を支持させた屋根支持構造に関するものである。
【背景技術】
【０００２】
従来、駐輪場や屋外通路の日除け、カーポート、テラスなどに用いられる屋根材は、母屋材に直接ビス止めされたり、母屋材の表面にボルト孔を穿孔し、ボルトとナットによって固定されていた。
【０００３】
しかしながら、上記のような方法では、屋根材の固定位置を変更しようとした場合、母屋材にはボルト孔が残っているので体裁がよくなく、また、孔の近傍に再び孔を穿孔することができないため、一度穿孔した孔の近傍に屋根材の固定位置を変更することが不可能で、固定位置の微調整ができなかった。
【０００４】
そこで、本出願人は、ワイヤの一端を係合部を有する本体に固着すると共に、この本体にワイヤを結び付けるための突片を設けた固定具を提案した（特許文献１）。この固定具は、上記係合部を屋根材の固定具取付溝に係合させると共に、ワイヤで母屋材を巻き込むようにして、ワイヤの他端を突片に係止し結び付けることにより、屋根材を母屋材に固定するものである。
【０００５】
上記の固定具を用いて屋根材を固定すると、屋根材の固定位置を変更する場合でも、母屋材に孔がないので体裁がよくて、ある程度自由に屋根材の固定位置を変更することができ、母屋材の形状や大きさに影響されることがない、というメリットがあった。
【先行技術文献】
【特許文献】
【０００６】
【特許文献１】実開平０３−０２８２２３号公報
【発明の概要】
【発明が解決しようとする課題】
【０００７】
しかしながら、上記の固定具は、ワイヤを母屋材に結び付ける作業に意外な時間を要し、ワイヤの結び目が外観上あまり体裁のよいものではなかった。また、経時と共にワイヤが腐食し、外圧や強風等でワイヤが切断されて、最悪の場合、屋根材が脱落する恐れがあった。
【０００８】
本発明は上記の問題に鑑みてなされたもので、その解決しようとする課題は、屋根材の固定位置を自由に調整することが可能で、強固に屋根材を支持することのできる体裁のよい屋根支持構造を提供することにある。
【課題を解決するための手段】
【０００９】
上記目的を達成するため、本発明に係る屋根支持構造は、連結部材で屋根材と母屋材を連結して、母屋材に屋根材を支持させた屋根支持構造であって、母屋材の長さ方向には、連結部材がスライド可能で、且つ、端部からのみ連結部材の出し入れが可能な溝部が形成されており、連結部材は、一端に母屋材の溝部に挿入される固定部と、他端に屋根材を保持する保持部を有し、連結部材の固定部を母屋材の溝部に挿入して母屋材に固定すると共に、保持部で屋根材を保持することで屋根材と母屋材を連結し、母屋材に屋根材を支持させたことを特徴とするものである。
【００１０】
本発明の屋根支持構造においては、母屋材の上面又は下面から側面にかけて、それらの表面を覆う変形防止部材によって母屋材を補強することが好ましく、連結部材がボルトとナットからなり、そのボルトの軸部がスライド可能で、且つ、頭部が抜けない形状の溝部が、母屋材の屋根材と相対する面に形成されており、ボルトの頭部を母屋材の溝部に挿入して、ナットで母屋材に固定すると共に、ボルトの軸部の先端を屋根材に挿通して、上下から２つのナットで屋根材を挟持することによって屋根材を保持することが好ましい。また、屋根材が略Ｓ字形状又は／及び略コ字形状であって、その屋根材を複数組み合わせることで屋根が構成されていることがより好ましい。
【発明の効果】
【００１１】
本発明の屋根支持構造は、連結部材がスライド可能な溝部を予め母屋材に形成してあるので、母屋材にボルト孔を穿孔する必要がなく、屋根材の固定位置を変更してもボルト孔が残らないため体裁がよい。また、連結部材を母屋材の溝部に挿入してスライドさせることで、母屋材の長さ方向の所望位置で連結部材を固定することができるので、屋根材の固定位置を自由に調整することができる。しかも、連結部材は、母屋材の端部からしか出し入れできないので、連結部材が母屋材から外れたりすることはなく、強固に屋根材が支持される。
【００１２】
上記のように、本発明の屋根支持構造は、所望の位置で屋根材を強固に支持することのできる優れたものであるが、屋根材を支持する母屋材への負担も大きい。そこで、母屋材の上面又は下面から側面にかけて、それらの表面を覆う変形防止部材によって母屋材を補強した屋根支持構造のように、母屋材を変形防止部材によって補強することにより、母屋材が変形するのを防止することができる。従って、母屋材にアルミなどの軽量な金属の押出材を用いることが可能となり、支柱や梁への負荷が軽減される。
【００１３】
また、連結部材がボルトとナットからなり、そのボルトの軸部がスライド可能で、且つ、頭部が抜けない形状の溝部が、母屋材の屋根材と相対する面に形成されており、ボルトの頭部を母屋材の溝部に挿入して、ナットで母屋材に固定すると共に、ボルトの軸部の先端を屋根材に挿通して、上下から２つのナットで屋根材を挟持することによって屋根材を保持した屋根支持構造は、ボルトとナットで連結部材を母屋材及び屋根材に強固且つ容易に固定することができる。
【００１４】
更に、屋根材が略Ｓ字形状又は／及び略コ字形状であって、その屋根材を複数組み合わせることで屋根が構成された屋根支持構造は、屋根材をこのような形状とすることで、屋根材をスライドさせることが可能となり、屋根全体の幅を自由に調整することができるので、施工性が極めて良好となると共に、屋根材の間隔を変えることができるので、意匠も自由に変化させることができる。
【図面の簡単な説明】
【００１５】
【図１】本発明の一実施形態に係る屋根支持構造を示す断面図である。
【図２】同支持構造の分解斜視図である。
【図３】同支持構造の部分断面図である。
【図４】同支持構造を構成する屋根材の説明図である。
【図５】本発明の他の実施形態に係る屋根支持構造を示す断面図である。
【図６】同支持構造の部分断面図である。
【図７】本発明の更に他の実施形態に係る屋根支持構造を示す断面図である。
【図８】本発明の更に他の実施形態に係る屋根支持構造を示す断面図である。
【発明を実施するための最良の形態】
【００１６】
以下、図面を参照して本発明の具体的な実施形態を詳述する。
【００１７】
本発明は、主に駐輪場や屋外通路の日除け、カーポート、テラスなどに好適に採用される屋根支持構造であって、図１に示すように、連結部材３で屋根材１，１０と母屋材２を連結して、母屋材２に屋根材１を支持させたものである。
【００１８】
屋根材１は、ポリカーボネートやアクリル系樹脂など、透光性のある樹脂成形板を、図１に示すように、略Ｓ字形状に折り曲げ加工することで山部１Ａと谷部１Ｂが形成された折板であって、この屋根材１を複数組み合わせることで、駐輪場や屋外通路の日除け、カーポート、テラスなどの屋根が構築される。
【００１９】
上記屋根材１は、山部１Ａの幅Ｗ１及び谷部１Ｂの幅Ｗ２が３０〜７００ｍｍ程度、谷部１Ｂから山部１Ａまでの高さＨ１が２０〜２００ｍｍ程度、肉厚Ｔが２〜１２ｍｍ程度、傾斜角度θが４０〜９０°（本実施形態では９０°）程度のものが、駐輪場等の広さ、運搬性、施工性等を考慮すると適当なため、好適に用いられる。
【００２０】
また、上記屋根材１は、図１、図４に示すように、谷部１Ｂの上端部を内側に９０°折り曲げることで、折返し片１ｂが形成されている。この折返し片１Ａを谷部１Ｂの上端部に形成することで、雨の吹き込みを防止することができる。
尚、施工の際は、この折返し片１ｂが上側に位置するように留意する。
【００２１】
以上のような構成の屋根材１は、図１、図４に示すように、一方の屋根材１の山部１Ａの端部を、隣接する屋根材１の谷部１Ｂに挿入することで、その谷部１Ｂの空間内を、一方の屋根材１の山部１Ａが自由にスライドすることが可能となり、前述した寸法の屋根材１を用いた場合、屋根材１の移動幅（重ね幅）Ｗ３は、後述する連結部材３との関係もあるが、０〜３００ｍｍ程度となる。このように、略Ｓ字形状の屋根材１を用いると、屋根材１を幅方向にスライドさせることで、屋根全体の幅を自由に調整することができるので、施工性が極めて良好となる。また、屋根材１を幅方向にスライドさせることで、屋根材１の山部１Ａと隣接する屋根材１の山部１Ａ（又は屋根材１の谷部１Ｂと隣接する屋根材１の谷部１Ｂ）の間隔を変えることができるので、屋根全体の意匠も自由に変化させることができる。
尚、本実施形態では、屋根の両端には、後述する略コ字形状の屋根材１０Ａ，１０Ｂが用いられているが、全てが略Ｓ字形状の屋根材１であってもよい。
【００２２】
上記屋根材１を支持する母屋材２は、中空で軽量なアルミの押出材であって、図１、図２に示すように、その上面２ｃには、長さ方向全域に亘って溝部２ａが形成されている。この溝部２ａは、その入口幅が、後述する連結部材３のボルト３ａの軸部３１ａの直径よりもやや大きく、ボルト３ａの頭部３０ａの外径よりも遥かに小さい寸法に設定されている。また、母屋材２の内側面２ｂ，２ｂ間の幅（溝部２ａ内部の幅）は、ボルト３ａの頭部３０ａが母屋材２の内部で回転しないように、ボルト３ａの頭部３０ａの外径よりもやや大きい程度に設定されている。このような溝部２ａを母屋材２に形成すると、連結部材３がその溝部２ａを自由にスライドすることが可能となり、所望の位置までスライドさせて固定することができるようになる。しかも、溝部２ａの入口幅はボルト３ａの頭部３０ａよりも遥かに小さいので、溝部２ａから連結部材３が上方に抜けてしまうことがなく、連結部材３は母屋材２の両端部開口からしか出し入れができないので、連結部材３を強固に固定することが可能となる。また、母屋材２の内側面２ｂ，２ｂ間の幅（溝部２ａ内部の幅）を、ボルト３ａの頭部３０ａの外径よりもやや大きい程度に設定することで、連結部材３を母屋材２に固定する際に、上方からナット３ｂを締め込んでいっても、ボルト３ａの頭部３０ａが母屋材２の内側面２ｂ，２ｂに当接して回転することがないので、ボルト３ａの頭部３０ａを固定するスパナ等の工具が不要となって施工性がよい。
【００２３】
また、図２、図３に示すように、母屋材２の側面下部より張出し片２ｅ，２ｅが突設されている。この張出し片２ｅは、母屋材２を梁７に取付けるために設けられたもので、本実施形態では、母屋材２の長さ方向の両端部２箇所にそれぞれ設けられている。この張出し片２ｅには挿通孔２ｆが穿孔されており、母屋材２はビス６によって梁７に取付けられている。この挿通孔２ｆは、予め張出し片２ｅに穿孔しておいてもよいし、施工現場でドリル等で穿孔してもよい。
尚、本実施形態の屋根支持構造は、所謂「上屋根タイプ」であるので、溝部２ａを母屋材２の上面２ｃに形成しているが、吊し屋根タイプの場合は、後述するように、母屋材２の下面２ｄに溝部２ａを形成することになる。換言すれば、この溝部２ａは、屋根材１と相対する面に形成する必要があるものである。また、母屋材２の強度を向上させるために、内部に補強片（不図示）を設けてもよい。
【００２４】
次に、上記の屋根材１と母屋材２を連結する連結部材３は、図２、図３に示すように、母屋材２に固定される固定部３Ａと、屋根材１を保持する保持部３Ｂを有したもので、具体的には、固定部３Ａは、ボルト３ａ（頭部３０ａ及び軸部３１ａ）とナット３ｂからなり、保持部３Ｂは、ボルト３ａの軸部３１ａと、２つのナット３ｂ（キャップナット３０ｂ）と、２枚の座金３ｃと、ゴムパッキン３ｄからなる。
【００２５】
連結部材３の固定部３Ａを構成するボルト３ａは、図２に示すように、頭部３０ａと軸部３１ａからなる通常の六角ボルトであって、屋根材１の重量に耐え得るべく、軸部３１ａの直径が１０ｍｍ以上の太いものが好適に用いられる。このボルト３ａの軸部３１ａは、ネジ山を露出させないことで外観を向上させると共に、ネジ山の錆の発生を抑制するため、化粧スリーブ３ｅによって覆われている。また、ナット３ｂも通常の六角ナットであって、ボルト３ａの頭部３０ａを母屋材２の端部開口から母屋材２の溝部２ａ内部に挿入し、所望の固定位置まで溝部２ａをスライドさせたのち、後述する変形防止部材４とスペーサー５を介在させて、ナット３ｂを上方から締め込むことで、ボルト３ａが母屋材２に強固に固定されるようになっている。
【００２６】
一方、連結部材３の保持部３Ｂは、図２、図３に示すように、上記のボルト３ａの軸部３１ａと、ナット３ｂと、２枚の座金３ｃと、ゴムパッキン３ｄと、キャップナット３０ｂから構成されており、このうちのナット３ｂは、上記の固定部３Ａのナット３ｂと同一部材であるので同一符号を附して説明を省略する。座金３ｃは、直径が２５ｍｍ以上ある円形状をしたもので、その中心には、ボルト３ａの軸部３１ａ先端を挿通する挿通孔３０ｃが穿孔されている。この座金３ｃをナット３ｂ，３０ｂ間に介在させることで、ナット３ｂ，３０ｂの締め込みによる屋根材１の埋没が防止されると共に、屋根材１を強固に保持することが可能となる。また、本発明は、屋根材１の表面を傷つけないように、屋根材１表面と座金３ｃの間にはゴムパッキン３ｄが介在されている。このゴムパッキン３ｄも、上記座金３ｃと同径の直径が２５ｍｍ以上ある円形状のもので、その中心には、ボルト３ａの軸部３１ａ先端を挿通する挿通孔３０ｄが穿孔されている。
尚、このゴムパッキン３ｄは、屋根材１裏面とその下方に位置する座金３ｃとの間にも介在させてもよい。
【００２７】
また、ボルト３ａの軸部３１ａの先端には、通常のナット３ｂではなく、キャップナット３０ｂが取付けられている。連結部材３によって屋根材１を保持すると、ボルト３ａの軸部３１ａ先端が、屋根材１の上側に位置することになるので、このようなキャップナット３０ｂを取付けることで、軸部３１ａのネジ山の錆の発生が抑制されると共に、意匠性も向上する。
【００２８】
この保持部３Ｂのボルト３ａの軸部３１ａに、ナット３ｂと座金３ｃを取付けて、軸部３１ａの先端を屋根材１に挿通したのち、ゴムパッキン３ｄと座金３ｃを取付けて、下方に位置するナット３ｂの回転をスパナ等の工具で押さえながら、上方に位置するキャップナット３０ｂを締め込んでいくと、屋根材１は上下から挟持されて、屋根材１が連結部材３に強固に保持されるようになっている。
【００２９】
上記の連結部材３を用いて屋根材１と母屋材２を連結すると、母屋材２は軽量なアルミの押出材で強度が充分ではないため、連結部材３の倒れによって溝部２ａが開く（変形する）恐れが生じる。そこで、本発明の屋根支持構造は、次に説明する変形防止部材４を用いて母屋材２を補強して、溝部２ａの変形を防止している。
【００３０】
即ち、変形防止部材４は、図２、図３に示すように、母屋材２の上面２ｃから側面にかけて、それらの表面を覆うように、表面４ｂから下方に補強片４ｃが突設された略コ字形をしたもので、この変形防止部材４によって、母屋材２の長さ方向の一部（連結部材３が固定される近傍）を覆って、母屋材２を補強している。そして、表面４ｂの中心には、連結部材３のボルト３ａの軸部３１ａが挿通されるボルト孔４ａが穿孔されている。このボルト孔４ａには、施工性を向上させるために、ネジ溝は形成されておらず、変形防止部材４をボルト３ａに挿通したのち、簡単に上下にスライドさせることができるようになっている。このような変形防止部材４は、アルミ、ステンレスなどの金属製（本実施形態ではステンレス製）が好適に用いられるが、強度が高い合成樹脂製のものでもよい。
尚、本実施形態のように、変形防止部材４が、母屋材２（アルミ製）と異なる金属である場合は、電蝕防止のため、中心に挿通孔５ａが穿孔されたゴム製のスペーサー５を、母屋材２と変形防止部材４の間に介在させることが好ましい。
【００３１】
上記の変形防止部材４を用いて母屋材２を補強すると、母屋材２の溝部２ａが連結部材３のボルト３ａの倒れによって開こうとしても、補強片４ｃ，４ｃがそれを抑えるので、母屋材２が変形することがなくなる。従って、本実施形態のように、母屋材２に軽量なアルミの押出材を用いることができるようになるので、支柱（不図示）や梁７への負荷が軽減される。また、変形防止部材４は、ワッシャーの代わりにもなるので、ワッシャーが不要となってコストを削減することもできる。
【００３２】
以上のような部材からなる本発明の屋根支持構造は、次の手順で施工される。
【００３３】
即ち、図３に示すように、母屋材２の張出し片２ｅ，２ｅの挿通孔２ｆからビス６，６を打ち込んで母屋材２を梁７に取付ける。母屋材２の取付けが完了すると、連結部材３のボルト３ａの頭部３０ａを、母屋材２の端部開口から溝部２ａ内部に挿入し、所望の固定位置までスライドさせる。そして、電蝕防止のためのスペーサー５を介在させて、変形防止部材４の挿通孔４ａに連結部材３のボルト３ａの軸部３１ａを挿通させ、その上方から、固定部３Ａのナット３ｂを締め込むことで、連結部材３と変形防止部材４を母屋材２に固定する。次に、連結部材３のボルト３ａの軸部３１ａに化粧スリーブ３ｅを被せて、その化粧スリーブ３ｅの上端までナット３ｂを締め込んでいき、座金３ｃの挿通孔３０ｃにボルト３ａの軸部３１ａを挿通する。そして、屋根材１の山部１Ａにボルト３ａの軸部３１ａを挿通し、ゴムパッキン３ｄ、座金３ｃを介在させて、その上方からキャップナット３０ｂを締め込む。同様の作業を屋根材１の谷部１Ｂでも行うことで、１枚の屋根材１の取付けが完了する。母屋材２の谷部１Ｂを固定する場合は、軸部３１ａが短いボルト３ａを用いて、母屋材２から屋根材１の谷部１Ｂまでの高さＨ２が、１０〜２００ｍｍ程度になるようにすることが好ましい。
【００３４】
このようにして１枚の屋根材１の取付けが終わると、図１に示すように、その取付けが完了した屋根材１の隣に、もう１枚の屋根材１を上記と同様の手順で取付ける。この際、取付け予定の屋根材１の山部１Ａを、既に取付けが完了した屋根材１の谷部１Ｂに挿入し、所望の位置まで山部１Ａをスライドさせて、一方の屋根材１の山部１Ａと、もう一方の屋根材１の谷部１Ｂが交互にくるように屋根材１を固定するようにする。また、接触音（軋み音）がしないように、一方の屋根材１の山部１Ａ裏面と、もう一方の屋根材１の谷部１Ｂ上端の折返し片１ｂが接触しないように、一定の間隔を開けて取付けることに留意する。この作業を、施工現場の広さに合うように繰り返して、屋根を構築することで施工が完了する。このとき、連結部材３とそれに隣接する連結部材３の取付け間隔Ｗ４は、７００ｍｍ以下になるようにする。
【００３５】
本実施形態では、屋根の両端に略コ字形状の屋根材１０Ａ,１０Ｂが用いられている。この略コ字形状の屋根材１０Ａ,１０Ｂは、前述した略Ｓ字形状の屋根材１と同様の、ポリカーボネートやアクリル系樹脂など、透光性のある樹脂成形板を、図１に示すように、略コ字形状に折り曲げ加工することで形成された折板であって、谷部となる右端の屋根材１０Ｂの上端部には、雨の吹き込みを防止する折返し片１０ｂが形成されている。この略コ字形状の屋根材１０Ａ，１０Ｂは、上記屋根材１よりも幅が狭いので、最後の微調整に用いられたり、比較的、施工面積の狭い屋根として好適に用いられる。そして、この屋根材１０Ａ，１０Ｂも、隣接するのが略Ｓ字形状の屋根材１の山部１Ａである場合、谷部となる屋根材１０Ｂが用いられ、隣接するのが略Ｓ字形状の屋根材１の谷部１Ｂである場合は、山部となる屋根材１０Ａが用いられ、山部と谷部が交互になるようにして、上記と同様の手順で取付けられる。
【００３６】
以上のような本発明の屋根支持構造は、連結部材３を母屋材２の溝部２ａに挿入してスライドさせることで、母屋材２の長さ方向の所望位置で連結部材３を固定することができるので、屋根材１の固定位置を自由に調整することができ、母屋材２にボルト孔を穿孔する必要がないため、屋根材１の固定位置を変更してもボルト孔が残らず体裁がよい。また、連結部材３は、母屋材２の端部開口からしか出し入れできないので、連結部材３が母屋材２から外れたりすることはなく、強固に屋根材１を支持することができる。しかも、母屋材２は変形防止部材４によって補強されているので、アルミなどの軽量な金属の押出材を用いることが可能となり、支柱（不図示）や梁７への負荷が軽減される。更に、略Ｓ字形状の屋根材１や略コ字形状の屋根材１０Ａ，１０Ｂを用いることで、それらを組み合わせると屋根全体の幅を自由に調整することができ、施工性が極めて良好であると共に、屋根材１の間隔を変えることで、屋根全体の意匠も自由に変化させることができる。
【００３７】
図５は本発明の他の実施形態に係る屋根支持構造を示す断面図、図６は同支持構造の部分断面図である。
【００３８】
図５、図６に示す実施形態の屋根支持構造は、前述した図１から図４に示す実施形態の屋根支持構造が、所謂「上屋根タイプ」の屋根支持構造であったのに対して、本実施形態は、所謂「吊し屋根タイプ」の屋根支持構造である。
【００３９】
即ち、上記図１から図４に示す屋根支持構造は、母屋材２の上にある屋根材１を支持するものであるが、本実施形態の屋根支持構造は、母屋材２０の下にある屋根材１を吊るして支持するものである。従って、前述した実施形態とは異なる位置に溝部２ａが形成された母屋材２０を用いる。具体的には、前述した実施形態の母屋材２は、溝部２ａが上面２ｃに形成されていたのに対して、本実施形態の母屋材２０は、屋根材１の相対する面である下面２ｄに溝部２ａが形成されている。そして、本実施形態の母屋材２０は、張り出し片２ｅが側面上部より外側へ突出するように形成されている。
尚、前述した実施形態の母屋材２を上下逆さまにして、本実施形態の母屋材２０とすると、新たな部材を製造しなくてもよいので好ましい。
【００４０】
また、本実施形態の屋根支持構造を構成する母屋材２０以外の部材である、連結部材３、変形防止部材４は、前述した図１から図４に示す実施形態のものを、上下逆さまにして用いている。
この図５に示す屋根支持構造のその他の構成は、前述した図１から図４に示す実施形態の屋根支持構造と同様であるので、同一部材に同一符号を附して、説明を省略する。
【００４１】
上記のように、本発明の屋根支持構造は、上屋根にも吊し屋根にも対応することができるので、施工現場を選ばない。
【００４２】
図７は本発明の更に他の実施形態に係る屋根支持構造を示す断面図である。
【００４３】
図７に示す屋根支持構造は、略コ字形状の屋根材１０Ａと、同じく略コ字形状であって折返し片１０ｂが形成された屋根材１０Ｂを用いたもので、それらを順番に母屋材２に支持させることによって、屋根を構築した、所謂「上屋根タイプ」の屋根支持構造である。
この図７に示す屋根支持構造のその他の構成は、前述した図１から図４に示す実施形態の屋根支持構造と同様であるので、同一部材に同一符号を附して、説明を省略する。
【００４４】
このような略コ字形状の屋根材１０Ａ，１０Ｂを支持する屋根支持構造は、屋根の面積が余り広くない場合に採用されることが多い。
【００４５】
図８は本発明の更に他の実施形態に係る屋根支持構造を示す断面図である。
【００４６】
この屋根支持構造は、上記図７に示す屋根支持構造と同様に、略コ字形状の屋根材１０Ａ，１０Ｂを用いたもので、図７に示す屋根支持構造が、所謂「上屋根タイプ」であるのに対して、本実施形態の屋根支持構造は、所謂「吊し屋根タイプ」である。従って、図５に示す実施形態と同様に、下面２ｄに溝部２ａが形成された母屋材２０を用いる。また、連結部材３や変形防止部材４は上下逆さまにして使用する。
この図８に示す屋根支持構造のその他の構成は、前述した図７に示す実施形態の屋根支持構造と同様であるので、同一部材に同一符号を附して、説明を省略する。
【００４７】
以上の説明から明らかなように、本発明の屋根支持構造は、施工現場の屋根面積を選ばず、また、上屋根にも吊し屋根にも適用できるので、汎用性が極めて高い。
【符号の説明】
【００４８】
１    屋根材（略Ｓ字形状の屋根材）
１Ａ  屋根材の山部
１Ｂ  屋根材の谷部
１ｂ  折返し片
１０Ａ，１０Ｂ  屋根材（略コ字形状の屋根材）
１０ｂ  折返し片
２，２０  母屋材
２ａ  溝部
２ｂ  内側面
２ｃ  上面
２ｄ  下面
２ｅ  張出し片
２ｆ  挿通孔
３    連結部材
３Ａ  固定部
３Ｂ  保持部
３ａ  ボルト
３０ａ  頭部
３１ａ  軸部
３ｂ  ナット
３０ｂ  キャップナット
３ｃ  座金
３０ｃ  挿通孔
３ｄ  ゴムパッキン
３ｅ  化粧スリーブ
４    変形防止部材
４ａ  ボルト孔
４ｂ  表面
４ｃ  補強片
５    スペーサー
５ａ  挿通孔
６    ビス
７    梁
Ｗ１  屋根材の山部の幅
Ｗ２  屋根材の谷部の幅
Ｗ３  屋根材の移動幅
Ｗ４  連結部材の取付間隔
Ｈ１  屋根材の谷部から山部までの高さ
Ｈ２  母屋材から屋根材の谷部までの高さ
Ｔ    屋根材の肉厚
θ    傾斜角度
【図１】
0005406102.tif 000002
【図２】
0005406102.tif 000003
【図３】
0005406102.tif 000004
【図４】
0005406102.tif 000005
【図５】
0005406102.tif 000006
【図６】
0005406102.tif 000007
【図７】
0005406102.tif 000008
【図８】
0005406102.tif 000009